(57)【要約】  カルボン酸エステル、界面活性剤、及び一価不飽和脂肪酸を含む、容器の表面の掻き傷を隠蔽するための組成物が提供される。本組成物は、ガラスまたはＰＥＴボトルなどの再利用可能な容器の掻き傷を隠蔽するのに好適である。本組成物は、凝縮が生じた低温の湿潤表面に塗布するのに好適である。かかる掻き傷隠蔽組成物を作製及び塗布する方法もまた提供される。【特許請求の範囲】
【請求項１】
容器の掻き傷を隠蔽するための組成物であって、
カルボン酸エステル、界面活性剤、及び一価不飽和脂肪酸を含む、組成物。
【請求項２】
前記界面活性剤は、エトキシル化アルコールである、請求項１に記載の組成物。
【請求項３】
前記一価不飽和脂肪酸は、シス−９−オクタデセン酸である、請求項１または２に記載の組成物。
【請求項４】
約５０重量％〜約９９．９重量％のカルボン酸エステルと、
約０．１重量％〜約５重量％の界面活性剤と、
約０．１重量％〜約２０重量％の一価不飽和脂肪酸と、を含む、請求項１〜３のいずれか１項に記載の組成物。
【請求項５】
約５重量パーセント〜約９５重量パーセントの水をさらに含む、請求項１〜４のいずれか１項に記載の組成物。
【請求項６】
前記組成物は、水性エマルションである、請求項１〜５のいずれか１項に記載の組成物。
【請求項７】
前記容器は、ガラスまたはプラスチックである、請求項１〜６のいずれか１項に記載の組成物。
【請求項８】
前記容器は、ガラスである、請求項７に記載の組成物。
【請求項９】
前記カルボン酸エステルは、クエン酸エステルである、請求項１〜８のいずれか１項に記載の組成物。
【請求項１０】
前記組成物は、パラフィン油を含まない、請求項１〜９のいずれか１項に記載の組成物。
【請求項１１】
掻き傷を隠蔽するために容器に組成物を塗布する方法であって、
組成物を約５重量％〜約９５重量％の水で希釈することであって、前記組成物が、カルボン酸エステル、界面活性剤、及び一価不飽和脂肪酸を含む、希釈することと、
前記希釈した組成物を容器に塗布することと、を含む、方法。
【請求項１２】
前記界面活性剤は、エトキシル化アルコールである、請求項１１に記載の方法。
【請求項１３】
前記一価不飽和脂肪酸は、シス−９−オクタデセン酸である、請求項１１または１２に記載の方法。
【請求項１４】
前記組成物は、
約５０重量％〜約９９．９重量％のカルボン酸エステルと、
約０．１重量％〜約５重量％の界面活性剤と、
約０．１重量％〜約２０重量％の一価不飽和脂肪酸と、を含む、請求項１１〜１３のいずれか１項に記載の方法。
【請求項１５】
前記組成物は、スプレー、浸漬、刷毛塗り、ロール塗布、フローコーティング、スポンジ塗布、噴霧またはカーテンコーティングによって塗布される、請求項１１〜１４のいずれか１項に記載の方法。
【請求項１６】
前記容器は、ガラスまたはプラスチックである、請求項１１〜１５のいずれか１項に記載の方法。
【請求項１７】
前記容器は、ガラスである、請求項１６に記載の方法。
【請求項１８】
前記容器の表面の温度は、室温よりも低温である、請求項１１〜１７のいずれか１項に記載の方法。
【請求項１９】
前記組成物は、パラフィン油を含まない、請求項１１〜１８のいずれか１項に記載の方法。
【請求項２０】
掻き傷を隠蔽するために容器に組成物を塗布する方法であって、
隠蔽組成物を低温の容器に塗布することを含み、前記隠蔽組成物が、カルボン酸エステル、界面活性剤、及び一価不飽和脂肪酸を含む、方法。
【請求項２１】
前記界面活性剤は、エトキシル化アルコールである、請求項２０に記載の方法。
【請求項２２】
前記一価不飽和脂肪酸は、シス−９−オクタデセン酸である、請求項２０または２１に記載の方法。
【請求項２３】
前記組成物は、
約５０重量％〜約９９．９重量％のカルボン酸エステルと、
約０．１重量％〜約５重量％の界面活性剤と、
約０．１重量％〜約２０重量％の一価不飽和脂肪酸と、を含む、請求項２０〜２２のいずれか１項に記載の方法。
【請求項２４】
前記組成物は、スプレー、浸漬、刷毛塗り、ロール塗布、フローコーティング、スポンジ塗布、噴霧またはカーテンコーティングによって塗布される、請求項２０〜２３のいずれか１項に記載の方法。
【請求項２５】
前記容器は、ガラスまたはプラスチックである、請求項２０〜２４のいずれか１項に記載の方法。
【請求項２６】
前記容器は、ガラスである、請求項２５に記載の方法。
【請求項２７】
前記組成物は、パラフィン油を含まない、請求項２０〜２６のいずれか１項に記載の方法。
【発明の詳細な説明】
【技術分野】
【０００１】
関連出願の相互参照
本出願は、２０１５年１２月１０に出願された米国出願第６２／２６５，４７４号の非仮出願であり、当該出願は、参照によりその全体が本明細書に組み込まれる。
【０００２】
本開示は、容器の表面の掻き傷（ｓｃｒａｔｃｈ）及び擦傷（ａｂｒａｓｉｏｎ）を隠蔽するための組成物及び方法を提供する。特に、本発明は、再利用可能なガラス及びＰＥＴ容器を含む、低温で湿潤した容器への使用に好適な組成物及び方法を提供する。
【背景技術】
【０００３】
返却可能なボトルなどの容器は、製造、点検、充填、運送、洗浄等の間に多数回取り扱われる。かかる取扱いの間、ボトルは、コンベヤ、点検デバイスなどの種々の機械デバイス、他の容器（ボトル、瓶等など）、ならびに箱及び棚などの表面と接触することになる。この高度の接触は、引っ掻き、破損、ひび割れ、または他の欠陥によって表面に損傷を引き起こす。かかる擦傷は、飲料産業で使用される、緑色もしくは茶色のような暗色の製品またはプラスチックにおいてとりわけ可視的である。しかしながら、これらの擦傷はまた、無色のボトルにおいても観察される。
【０００４】
容器が再利用されるたびに、それは、表面の引っ掻きまたはさらなる引っ掻きの機会にさらされる。これはとりわけ、ボトルにおいて生じ、掻き傷または擦り傷（ｓｃｕｆｆ）の跡が、肩部及び底部領域に輪の形態で一般に生じる。かかる擦り傷または擦傷は、審美的観点から望ましくないだけでなく、それらが消費者の購入決定に悪影響を及ぼし得ることから、経済的観点からも望ましくない可能性がある。消費者は、擦り傷の多いまたは審美的に魅力的でない容器を有する製品を購入しないことを選択し得る。したがって、擦傷は、１容器当たりの再利用または再充填の最大回数を低減し得る。
【０００５】
ガラス容器への掻き傷または擦り傷隠蔽剤の使用が知られている。かかる隠蔽剤は、擦り傷を隠蔽し、許容される表面特性及び耐久性を呈するのが望ましい。望ましい擦り傷隠蔽剤は、耐水性、耐久性、非毒性であり、かつアルカリ性ボトル洗浄作業において除去可能である。これらの特性に加えて、擦り傷隠蔽剤は、良好な擦傷隠蔽特性を呈し、容易に乾燥し、べたつきがなく、洗浄後にも容器に残留するか、あるいは洗浄中に容易に除去され、水分に耐性があり、かつ食品安全要件を満たす。塗布されたコーティングを硬化または乾燥させるために熱を利用するコーティング系は、ガラスボトルが低温である製品には有効でない。容器に入れられる製品の温度の上昇が感覚受容特性に有害であり得るため、加熱は不可能であり得る。ガラスに含有された製品に対して加熱が可能であっても、追加の乾燥工程は、コーティングプロセスが通常自動的に進行することから不可能であり得る。一般に、加熱を含む大掛かりな乾燥工程のための時間は存在しない。
【０００６】
保護コーティングが、ホットエンドプロセス及び／またはコールドエンドプロセスのいずれかにおいて、製造中にガラス容器に塗布される。コールドエンドプロセスにおいては、凝縮などによるボトル上の水分が、かかる系に有害な影響を及ぼし得、一部のコーティングの場合、水分（凝縮）に起因する長い硬化時間が、コーティング系に有害な影響を及ぼし得る。多くの既存の製品は、湿潤ボトルに塗布されたとき、または凝縮に起因して湿潤するようになる低温のボトル上で、良好でないまたは不十分な性能を示す。これらには、低温の物質、典型的には、発泡性の液体、例えば、発泡性の水、ソーダ、ジュース、ビール等などの低温の液体でのガラスボトルまたは容器の充填が含まれるが、これらに限定されない。この良好でない性能は、容器の外側の凝縮水が隠蔽製品のさらなる希釈に寄与して、塗布されたコーティングの「すすぎ落とし」をもたらすという事実に起因する。かかるすすぎにより、容器の表面にはコーティングが何も残っていないことになる。
【０００７】
一部のコーティングは、それらの吸湿性に起因して望ましくない。これらのコーティングはべたつくようになり、ほこりを寄せ付け、これは表面の外観をさらに悪化させる働きしかしない。本開示は、この背景に照らしてなされるものである。
【０００８】
目的
本発明のいくつかの目的は、主として返却可能な容器の充填プロセスの間及び通常はその数回の往復後に容器の接触域に現れる、白色反射バンド（擦り傷バンド）を外装直しするまたは隠蔽するために、返却可能な容器に塗布するための組成物を提供することである。
【０００９】
本発明の別の目的は、擦り傷バンドの存在が容器の外観を低下させることから、かかる容器の可視的外観を修復するために、かかる組成物（「隠蔽流体または液体」）を塗布するためのプロセスを提供することである。
【００１０】
本発明のさらなる目的は、とりわけ、容器が低温の液体で充填され、容器の表面で水分の水凝縮が生じる充填条件の場合において、効率的な掻き傷隠蔽または擦り傷隠蔽組成物を提供することにある。
【００１１】
依然として別の目的は、塗布するのに十分に安定なエマルションを提供しながらも、なおもエマルション破壊物の組み込みを回避することである。本発明の依然として別の目的は、水及び氷水中の浸漬に良好な耐性を有する組成物、つまり、組成物が塗布された容器が浸水される場合にも容易に除去されない組成物を提供することである。
【００１２】
本発明のなおも別の目的は、触れたときに滑りも脂っぽさもない組成物を提供することである。本発明の組成物のさらなる目的は、それがアルカリ性洗浄液でのボトル洗浄プロセス中に容易に除去されるということである。
【００１３】
本発明のさらなる目的は、非毒性であり、食品及び飲料との使用に関する安全基準合格証の要件を満たす、容器の表面上の掻き傷を隠蔽するための組成物を提供することである。本発明のなおも別の目的は、容器の外面上のラベルに損傷を与えない隠蔽組成物及び塗布方法を提供することである。
【００１４】
本発明の別の目的は、コンベヤ潤滑剤との適合性を有する隠蔽組成物を提供することである。つまり、本発明の組成物は、コンベヤ上に残留物を蓄積または形成不可能であり、それらが潤滑剤の性能に影響を及ぼすこともあり得ない。
【００１５】
本発明の追加の目的は、パラフィン油を擦り傷隠蔽組成物から排除すること、またはパラフィン油を実質的に含まない隠蔽組成物を提供することにある。
【発明の概要】
【課題を解決するための手段】
【００１６】
容器の表面の掻き傷を隠蔽するための組成物が提供される。本組成物は、カルボン酸エステル、界面活性剤、及び脂肪酸を含む。一実施形態において、界面活性剤は、エトキシル化アルコールである。別の実施形態において、脂肪酸は、一価不飽和脂肪酸である。さらなる実施形態において、本組成物は、ガラスボトル及びＰＥＴボトルを含むがこれらに限定されない容器の表面上の掻き傷を隠蔽するのに好適である。
【００１７】
ガラスまたはＰＥＴ表面上の掻き傷を隠蔽するための本組成物は、約５０重量パーセント〜約９９．９重量パーセントのカルボン酸エステル、約０．１重量パーセント〜約５重量パーセントの界面活性剤、及び約０．１重量パーセント〜約２０重量パーセントの一価不飽和脂肪酸を含む。掻き傷隠蔽組成物は、約５重量パーセント〜約９５重量パーセントの水で希釈されてもよい。一実施形態において掻き傷隠蔽組成物は、水性エマルションである。
【００１８】
一実施形態において、ガラスまたはＰＥＴなどの容器の表面上の掻き傷を隠蔽するための組成物は、約５０重量パーセント〜約９９．９重量パーセントのカルボン酸エステル、約０．１重量パーセント〜約５重量パーセントの界面活性剤、及び約０．１重量パーセント〜約２０重量パーセントの一価不飽和脂肪酸から本質的になる。
【００１９】
一実施形態において、本組成物は、約５０重量パーセント〜約９９．９重量パーセントのカルボン酸エステル、約０．１重量パーセント〜約５重量パーセントの界面活性剤、及び約０．１重量パーセント〜約２０重量パーセントの一価不飽和脂肪酸からなる。
【００２０】
一実施形態において、隠蔽組成物は、水などの希釈液で希釈される。希釈された組成物は、約４重量パーセント〜約９０重量パーセントのカルボン酸エステル、約０．１重量パーセント〜約２重量パーセントの界面活性剤、及び約０．２５重量パーセント〜約５重量パーセントの一価不飽和脂肪酸を含む。別の実施形態において、希釈された隠蔽組成物は、約４重量パーセント〜約９０重量パーセントのカルボン酸エステル、約０．１重量パーセント〜約２．０重量パーセントの界面活性剤、及び約０．１重量パーセント〜約５重量パーセントの一価不飽和脂肪酸から本質的になる。
【００２１】
掻き傷を隠蔽するために容器に組成物を塗布する方法もまた提供される。一実施形態において、本方法は、カルボン酸エステル、界面活性剤、及び脂肪酸を含む、希釈されていないまたは無希釈の隠蔽組成物を低温のガラスまたはＰＥＴ容器に塗布することを含む。一実施形態において、本方法は、カルボン酸エステル、界面活性剤、及び脂肪酸のエマルションを調製することと、本組成物の低温のガラスまたはＰＥＴ容器への塗布前にエマルションを約５重量％〜約９５重量％の水で希釈することとを含む。一部の実施形態において、界面活性剤は、エトキシル化アルコールを含み、脂肪酸は、一価不飽和脂肪酸を含む。
【００２２】
別の実施形態において、本方法は、容器に、約５０重量パーセント〜約９９．９重量パーセントのカルボン酸エステル、約０．１重量パーセント〜約５重量パーセントの界面活性剤、及び約０．１重量パーセント〜約２０重量パーセントの一価不飽和脂肪酸を含む組成物を塗布することを含む。
【００２３】
一実施形態において、本方法は、容器に、約５０重量パーセント〜約９９．９重量パーセントのカルボン酸エステル、約０．１重量パーセント〜約５重量パーセントの界面活性剤、及び約０．１重量パーセント〜約２０重量パーセントの一価不飽和脂肪酸から本質的になる組成物を塗布することを含む。なおも別の実施形態において、本方法は、容器に、約５０重量パーセント〜約９９．９重量パーセントのカルボン酸エステル、約０．１重量パーセント〜約５重量パーセントの界面活性剤、及び約０．１重量パーセント〜約２０重量パーセントの一価不飽和脂肪酸からなる組成物を塗布することを含む。
【００２４】
一実施形態において、本方法は、容器に、約４重量パーセント〜約９０重量パーセントのカルボン酸エステル、約０．１重量パーセント〜約２重量パーセントの界面活性剤、及び約０．２５重量パーセント〜約５重量パーセントの一価不飽和脂肪酸から本質的になる希釈された組成物を塗布することを含む。なおも別の実施形態において、本発明の方法は、約４重量パーセント〜約９０重量パーセントのカルボン酸エステル、約０．１重量パーセント〜約２．０重量パーセントの界面活性剤、及び約０．１重量パーセント〜約５重量パーセントの一価不飽和脂肪酸からなる組成物を塗布することを含む。
【００２５】
掻き傷隠蔽組成物を容器に塗布する方法には、スプレー、浸漬、フローコーティング、刷毛塗り、ロール塗布、スポンジ、噴霧及びカーテンコーティングが含まれる。一実施形態において、本組成物は、付勢ノズルまたは非付勢ノズルのいずれによっても容器の表面上にスプレーされる。付勢ノズルは、本組成物を微細な液滴に破壊するために、高圧（ノズル自体の圧力を超える）、圧縮空気、または超音波処理などの何らかの形態の動力を必要とするノズルを指す。それとは逆に、非付勢ノズルは、意図される操作パラメータの下で操作される場合に、ノズル自体のみを使用して本組成物を微細な液滴に破壊することが可能であるノズルを指す。
【００２６】
本開示のこれら及び他の態様、利点、及び顕著な特長は、以下の説明及び特許請求の範囲から明らかになるであろう。
【発明を実施するための形態】
【００２７】
本明細書で使用されるとき、「低温の」という用語は、約２０℃を下回る温度などの、周囲を下回る温度を指す。「低温の」表面は、環境空気温度よりも低い温度を有し、それによって、大気中の水分が表面上で凝縮することを促進する任意の表面を指す。当業者であれば、周囲温度が２３℃である場合、大気の相対湿度に応じて、２３℃よりも低温の任意の表面上で凝縮が生じ得ることを認識するであろう。本発明において「低温の」とは、周囲または環境温度よりも低く、それによって、凝縮が表面上で形成することを促進する可能性のある、任意の表面の温度を指す。「低温の」はまた、０超かつ最大約５℃、氷点〜約４．５℃または氷点下〜約４．５℃の温度としても定義され得る。
【００２８】
本明細書で使用されるとき、「無リン酸塩」という用語は、リン酸塩もしくはリン酸塩含有化合物を含有しないか、またはリン酸塩含有化合物が添加されていない組成物、混合物、または成分を指す。リン酸塩またはリン酸塩含有化合物が、無リン酸塩組成物、混合物、または成分への混入により存在する場合があれば、リン酸塩の量は、約０．５重量％未満、約０．１重量％未満、または約０．０１重量％未満である。
【００２９】
本明細書で使用されるとき、「無リン」という用語は、リンもしくはリン含有化合物を含有しないか、またはリンもしくはリン含有化合物が添加されていない組成物、混合物、または成分を指す。リンまたはリン含有化合物が、無リン組成物、混合物、または成分への混入により存在する場合があれば、リンの量は、約０．５重量％未満、約０．１重量％未満、または約０．０１重量％未満である。
【００３０】
本明細書で使用されるとき、「ＥＤＴＡ不含」という用語は、ＥＤＴＡを含有しないか、またはＥＤＴＡが添加されていない組成物、混合物、または成分を指す。ＥＤＴＡが、ＥＤＴＡ不含組成物、混合物、または成分への混入により存在する場合があれば、ＥＤＴＡの量は、約０．５重量％未満、約０．１重量％未満、または約０．０１重量％未満である。
【００３１】
本明細書で使用されるとき、「パラフィン油不含」という用語は、パラフィン油含有化合物を含有しないか、またはパラフィン油が添加されていない組成物、混合物、または成分を指す。パラフィン油が、パラフィン油不含組成物、混合物、または成分への混入により存在する場合があれば、パラフィン油の量は、約０．５重量％未満、約０．１重量％未満、または約０．０１重量％未満である。
【００３２】
本明細書で使用されるとき、重量パーセント（ｗｅｉｇｈｔ  ｐｅｒｃｅｎｔ）（重量％（ｗｔ％））、重量パーセント（ｐｅｒｃｅｎｔ  ｂｙ  ｗｅｉｇｈｔ）、重量％（％  ｂｙ  ｗｅｉｇｈｔ）等は、ある物質の重量を組成物の総重量で除し、１００を乗じたものとしてのその物質の濃度を指す同義語である。
【００３３】
本明細書で使用されるとき、開示される組成物中の成分の量を修飾するか、または開示される方法において用いられる「約」という用語は、例えば、現実世界で濃縮物または使用溶液を作製するために使用される典型的な測定手順及び液体取扱い手順を通じて；これらの手順における偶発的な誤りを通じて；本組成物を作製するためまたは本方法を実施するために用いられる成分の製造、供給源、または純度の差等を通じて発生し得る、数量の変動を指す。「約」という用語はまた、特定の初期混合物から得られる組成物に関する異なる平衡条件に起因して異なる量も包含する。「約」という用語によって修飾されているか否かにかかわらず、特許請求の範囲は、その量の同等物を含む。
【００３４】
本明細書及び添付の特許請求の範囲で使用されるとき、「１つの（ａ）」、「１つの（ａｎ）」、及び「その（ｔｈｅ）」という単数形は、文脈による別段の指示が明確にない限り、複数形の指示対象を含むことに留意されたい。したがって、例えば、「１つの化合物（ａ  ｃｏｍｐｏｕｎｄ）」を含有する組成物への言及は、２つ以上の化合物の混合物を含む。また、「または（ｏｒ）」という用語は概して、文脈による別段の指示が明確にない限り、「及び／または（ａｎｄ／ｏｒ）」を含む意味で用いられることにも留意されたい。
【００３５】
簡潔さ及び明解さを目的として、本明細書に記載される任意の値の範囲は、その範囲内のすべての値を企図しており、対象となる指定範囲内の実数値である端点を有する任意の部分範囲を列挙する特許請求の支持として、解釈されるものとする。仮説上の例示的な例として、本明細書における１〜５の範囲の開示は、次の範囲、すなわち１〜５；１〜４；１〜３；１〜２；２〜５；２〜４；２〜３；３〜５；３〜４；及び４〜５のうちのいずれに対する特許請求も支持するようにみなされよう。
【００３６】
「実質的に含まない」という用語は、開示される組成物が欠如するまたはほぼ欠如する任意の構成成分を指し得る。「実質的に含まない」に言及するとき、それは、当該構成成分が開示される組成物に意図的に添加されないことを意図する。ある構成成分を「実質的に含まない」という用語の使用は、微量のその構成成分が別の構成成分中に存在するという理由で、それが開示される組成物に含まれることを許容する。しかしながら、組成物がその構成成分を「実質的に含まない」といわれるとき、微量または僅少量のみの構成成分が許容されることが認識される。その上、組成物がある構成成分を「実質的に含まない」といわれる場合のこの用語は、その構成成分が微量または僅少量で存在する場合、それが組成物の有効性に影響を及ぼさないことが理解される。ある成分が本明細書で明示的に含まれていないか、またはその組み込みの可能性が本明細書に述べられない場合、その組成物は、その成分を実質的に含まないといってよいことが理解される。同様に、ある成分の明示的な組み込みは、その明示的な排除を許容し、それによって、組成物がその明示的に述べられた成分を実質的に含まないことを許容する。
【００３７】
本明細書で使用されるとき、組成物を参照した「〜から本質的になる」という用語は、列挙される成分を指し、存在すると組成物の擦り傷隠蔽能力に影響を及ぼすであろう、追加の成分を含まない。「〜から本質的になる」という用語はまた、組成物のある構成成分を指してもよい。例えば、界面活性剤パッケージは、２つ以上の界面活性剤から本質的になってもよく、かかる界面活性剤パッケージは、その界面活性剤パッケージの有効性にプラスであれマイナスであれ影響を及ぼすであろう、いずれの他の成分も含まない。本明細書で使用されるとき、塗布方法を参照した「〜から本質的になる」という用語は、列挙される工程を指し、存在すると表面上の掻き傷を隠蔽する組成物の能力に影響を及ぼすであろう、追加の工程（または、組成物が方法に含まれる場合には成分）を含まない。
【００３８】
「界面活性剤」または「表面活性剤」という用語は、液体に添加されると、表面におけるその液体の特性を変化させる、化学物質または添加剤を指す。
【００３９】
カルボン酸エステル
驚くべきことに、界面活性剤、好ましくは非イオン性界面活性剤、カルボン酸エステル及び一価不飽和脂肪酸の組み合わせを再利用可能な容器の表面に塗布することで、掻き傷及び擦り傷跡の出現が減少されることが見出された。開示される組成物に含まれるカルボン酸エステルは、同じまたは複数の異なるアルコール及びカルボン酸から誘導され得る、エステル、誘導体の混合物、またはモノカルボン、ジカルボンもしくはトリカルボン酸の混合物などの、複数のカルボン酸エステルを含んでもよい。カルボン酸のモノ脂肪族エステルの混合物、カルボン酸のジ脂肪族エステルの混合物、カルボン酸のトリ脂肪族エステルの混合物、またはカルボン酸のモノ、ジ及びトリ脂肪族エステルの混合物が、開示される組成物において用いられてもよい。エステルの例としては、次のアルコール、すなわちｎ−プロピル、イソプロピル、ｎ−ブチル、クロチル、イソブチル、イソアミル、及び２−エチルヘキシルから誘導された、カルボン酸のモノ、ジまたはトリエステルが挙げられる。
【００４０】
エステルは、アルコールの、カルボン酸との反応から誘導され、このうち後者は、有機であっても無機であってもよい。本発明の組成物に有用なカルボン酸エステルの調製に有用なエステルの例としては、アセタート、プロピオナート、及びブチラート（ＩＵＰＡＣ命名法を用いてメタノアート、エタノアート、プロパノアート及びブタノアートとも称される）が挙げられる。
【００４１】
有用なカルボン酸エステルの例としては、下記のアルコール（左）から誘導された酢酸エチル及びカルボン酸から誘導されたアシル基（右）がある。
【化１】
2019505610.tif 000002
有機エステルの化学式は通常、ＲＣＯ２Ｒ’の形態をとり、式中、Ｒ及びＲ’は、それぞれカルボン酸及びアルコールの炭化水素部分である。
【００４２】
一実施形態において、カルボン酸エステルは、水不溶性である。本発明の組成物において使用するのに好適な水不溶性カルボン酸エステルの例としては、酢酸ブチル、アセチルクエン酸トリブチル、酢酸イソアミル、アセチル−クエン酸トリ−ｎ−ブチル、酢酸Ｎ−プロピル、アセチルクエン酸トリエチル、クエン酸トリ−ｎ−ブチル、カプリル酸ヘプチル、アセチルクエン酸トリ−ｎ−ブチル、カプリル酸オクチル、吉草酸ペンチル、３−カルボキシ−３−ヒドロキシペンタン−１，５−二酸、アセチルクエン酸トリ−ｎ−ヘキシル、カプリル酸イソアミル、酪酸ペンチル、クエン酸ｎ−ブチリルトリ−ｎ−ヘキシル、及びそれらの組み合わせが挙げられ、これらに限定されない。
【００４３】
一実施形態において、カルボン酸エステルは、無希釈の隠蔽組成物の総重量に基づいて、約５０重量％〜約９９．９重量％、約６０重量％〜約９９重量％、約６５重量％〜約９８重量％、約７０重量％〜約９７重量％、約７５重量％〜約９６重量％、約８０重量％〜約９５重量％、約８５重量％〜約９４重量％、または約９１．５重量％〜約９４．５重量％の量で存在する。
【００４４】
使用されるとき、隠蔽組成物は、水で希釈されてもよい。一部の実施形態において、カルボン酸エステルは、希釈された隠蔽組成物の総重量に基づいて、約２重量％〜約９４．９重量％、約３重量％〜約９０．２重量％、約３．２５重量％〜約８５．５重量％、約３．５重量％〜約８０．７重量％、約３．７５重量％〜約７６重量％、約４重量％〜約７１．２重量％、約４．２重量％〜約６６．５重量％、約４．５重量％〜約６１．７重量％、約４．７重量％〜約５７重量％、または約４．９９重量％〜約４７．５重量％で存在してもよい。
【００４５】
界面活性剤
本組成物は、１つ以上の界面活性剤を含む。好適な界面活性剤には、非イオン性、カチオン性、アニオン性、両性、及び双性イオン性界面活性剤ならびにそれらの組み合わせが含まれる。一部の実施形態において、界面活性剤は、好ましくは、非イオン性界面活性剤である。
【００４６】
非イオン性界面活性剤．例となる非イオン性界面活性剤には、制限なしに、アルコールエトキシレートが含まれる。本発明の組成物において有用なアルコールエトキシレートは、合成脂肪アルコールまたは天然脂肪アルコールのいずれから誘導されてもよい。エトキシル化に使用される合成アルコールの例は、ヒドロホルミル化によりオキソアルコールをもたらすこと、またはチーグラー触媒によるエチレンのオリゴマー化から、入手可能である。天然脂肪アルコールは、脂肪酸の反応によって生成される。炭素鎖長分布の狭いものから広いものまで、直線または分岐状炭素鎖を有するオキソアルコールエトキシレートが、本発明において使用され得る。好適なアルコールエトキシレートの例としては、制限なしに、Ｈｕｎｔｓｍａｎから市販されているＳＵＲＦＯＮＩＣ（登録商標）Ｌ１２−６、Ｃｌａｒｉａｎｔから市販されているＥｍｕｌｓｏｇｅｎ  ＬＡ３０６５、Ａｒｋｏｐａｌ（登録商標）Ｎシリーズが挙げられ、Ｃｒｏｄａによるエトキシル化脂肪アルコールの群は、Ｂｒｉｊ（商標）またはＳｙｎｐｅｒｏｎｉｃ（商標）商標名の下で販売される。本発明の組成物において有用な非イオン性界面活性剤のさらなる例としては、アルコールエトキシレートプロポキシラート、アルコールプロポキシラート、アルコールプロポキシラートエトキシレートプロポキシラート、アルコールエトキシレートブトキシラート、ＢＡＳＦから入手可能な一連のｌ  Ｄｅｈｙｄｏｌ（登録商標）等、またはそれらの組み合わせが挙げられるが、これらに限定されない。アルコールエトキシレートは、直鎖エトキシレートまたは分岐鎖エトキシレートのいずれであってもよい。一実施形態において、ラウレス−３、ラウレス−４、ラウレス−９、オレス−２、オレス−５，トリデセス−３、またはトリデセス−５などのラウレスアルコールエトキシレートが、本組成物に含まれる。
【００４７】
他の例となる非イオン性界面活性剤は、下記に列挙される。
【００４８】
プロピレングリコール、エチレングリコール、グリセロール、トリメチロールプロパン、及び開始剤反応性水素化合物としてのエチレンジアミンに基づく、ブロックポリオキシプロピレン−ポリオキシエチレンポリマー化合物、例えば、二官能性ブロックコポリマー（ＢＡＳＦ  Ｃｏｒｐ．から入手可能なＰＬＵＲＯＮＩＣ（登録商標）製品）、及び四官能性ブロックコポリマー（ＢＡＳＦ  Ｃｏｒｐ．から入手可能なＴＥＴＲＯＮＩＣ（登録商標）製品）
【００４９】
直鎖もしくは分岐鎖構成の、または単一もしくは二重アルキル構成物質のアルキル鎖が約８〜約１８個の炭素原子を含有する１モルのアルキルフェノールの、約３〜約５０モルのエチレンオキシドとの縮合生成物。アルキル基は、例えば、ジイソブチレン、ジ−アミル、重合プロピレン、イソ−オクチル、ノニル、及びジ−ノニルにより代表され得る。これらの界面活性剤は、アルキルフェノールのポリエチレン、ポリプロピレン、及びポリブチレンオキシド縮合物であってもよい。市販品の例としては、Ｓｏｌｖａｙ  Ｓ．Ａ．から入手可能なＩＧＥＰＡＬ（登録商標）、及びＤＯＷ  Ｃｈｅｍｉｃａｌ  Ｃｏｍｐａｎｙから入手可能なＴＲＩＴＯＮ（登録商標）が挙げられる。
【００５０】
約６〜約２４個の炭素原子を有する、１モルの飽和または不飽和の直鎖または分岐鎖アルコールの、約３〜約５０モルのエチレンオキシドとの縮合生成物。アルコール部分は、上述された炭素範囲内のアルコールの混合物からなってもよく、またはそれは、この範囲内の特定の数の炭素原子を有するアルコールからなってもよい。市販品の例としては、Ｓｈｅｌｌ  Ｃｈｅｍｉｃａｌ  Ｃｏ．から入手可能なＮＥＯＤＯＬ（登録商標）及びＳａｓｏｌ  Ｎｏｒｔｈ  Ａｍｅｒｉｃａ，Ｉｎｃ．から入手可能なＡＬＦＯＮＩＣ（登録商標）が挙げられる。
【００５１】
約８〜約１８個の炭素原子を有する、１モルの飽和または不飽和の直鎖または分岐鎖カルボン酸の、約６〜約５０モルのエチレンオキシドとの縮合生成物。酸は、上記に定義される炭素原子範囲にある酸の混合物であり得るか、またはそれは、その範囲内の特定数の炭素原子を有する１つの酸であり得る。市販品の例としては、Ｌｉｐｏ  Ｃｈｅｍｉｃａｌｓ，Ｉｎｃ．から入手可能なＬＩＰＯＰＥＧ（登録商標）が挙げられる。
【００５２】
グリセリド、グリセリン、及び多価（糖類またはソルビタン／ソルビトール）アルコールとの反応により形成されるアルカノール酸エステル。これらのエステル部分は全て、その分子上に、これらの物質の親水性を制御するためにさらなるアシル化またはエチレンオキシド（アルコキシド）付加に供され得る１つ以上の反応性水素部位を有する。
【００５３】
一部の実施形態において、本組成物は、低発泡非イオン性界面活性剤を含む。例となる低発泡非イオン性界面活性剤としては、下記が挙げられる。
【００５４】
エチレンオキシドをエチレングリコールに付加して指定の分子量の親水性物質を提供し、次いでプロピレンオキシドを付加して分子の外側（端部）に疎水性ブロックを得ることによって本質的に反転されたブロックコポリマーである、リバースブロックコポリマー。分子の疎水性部分は、約１，０００〜約３，１００の分子量を有し、中心の親水性物質は、最終的な分子の１０重量％〜約８０重量％を含む。また、二官能性リバースブロックコポリマー（ＢＡＳＦ  Ｃｏｒｐ．からＰＬＵＲＯＮＩＣ（登録商標）Ｒとして市販されている）及び四官能性リバースブロックコポリマー（ＢＡＳＦ  Ｃｏｒｐ．からＴＥＴＲＯＮＩＣ（登録商標）Ｒとして市販されている）も含まれる。
【００５５】
プロピレンオキシド、ブチレンオキシド、塩化ベンジルなどの疎水性小分子、及び１〜約５個の炭素原子を含有する短鎖脂肪酸、アルコールまたはアルキルハロゲン化物、ならびにそれらの混合物との反応による発泡を低減するために、（多官能性部分の）末端ヒドロキシ基（複数可）を「キャッピング」または「端部ブロッキング」することにより改質された、キャップされた非イオン性界面活性剤。また、末端ヒドロキシ基を塩化物基に変換する塩化チオニル等の反応物質も含まれる。末端ヒドロキシ基へのかかる改質は、オールブロック、ブロック−ヘテリック（ｈｅｔｅｒｉｃ）、ヘテリック−ブロックまたはオールヘテリック非イオン性物質をもたらし得る。
【００５６】
下記の式により表される、１９５９年９月８日にＢｒｏｗｎらに対して発行された米国特許第２，９０３，４８６号のアルキルフェノキシポリエトキシアルカノール。
【化２】
2019505610.tif 000003
（式中、Ｒは、８〜９個の炭素原子のアルキル基であり、Ａは、３〜４個の炭素原子のアルキレン鎖であり、ｎは、７〜１６の整数であり、ｍは、１〜１０の整数である。）
【００５７】
末端疎水性鎖の分子量、中間疎水性単位の分子量、及び連結親水性単位の分子量がそれぞれ縮合物の約３分の１を占める、交互親水性オキシエチレン鎖及び疎水性オキシプロピレン鎖を有する、１９６２年８月７日にＭａｒｔｉｎらに対して発行された米国特許第３，０４８，５４８号に記載されるポリアルキレングリコール縮合物。
【００５８】
一般式Ｚ［（ＯＲ）ｎＯＨ］ｚを有し、式中、Ｚはアルコキシル化可能な材料であり、Ｒは、エチレン及びプロピレンであり得るアルカリオキシド由来のラジカルであり、ｎは、例えば、１０〜２，０００以上の整数であり、ｚは、反応性のオキシアルキル化可能な基の数によって決定される整数である、Ｌｉｓｓａｎｔらに対して１９６８年５月７日に発行された米国特許第３，３８２，１７８号に開示される消泡非イオン性界面活性剤。市販の消泡または低発泡非イオン性界面活性剤の例としては、両方ともＢＡＳＦ  Ｃｏｒｐ．から入手可能なＬＵＴＥＮＳＯＬ（登録商標）及びＰＬＵＲＡＦＡＣ（登録商標）が挙げられる。
【００５９】
式Ｙ（Ｃ３Ｈ６Ｏ）ｎ（Ｃ２Ｈ４Ｏ）ｍＨに対応し、式中、Ｙは、約１〜６個の炭素原子及び１個の反応性水素原子を有する有機化合物の残基であり、ｎは、ヒドロキシル価により決定するとき少なくとも約６．４の平均値であり、ｍは、オキシエチレン部分が分子の約１０重量％〜約９０重量％を構成するような値である、１９５４年５月４日にＪａｃｋｓｏｎらに対して発行された米国特許第２，６７７，７００号に記載される共役ポリオキシアルキレン化合物。
【００６０】
式Ｙ［（Ｃ３Ｈ６Ｏｎ（Ｃ２Ｈ４Ｏ）ｍＨ］ｘを有し、式中、Ｙは、約２〜６個の炭素原子を有し、ｘ個の反応性水素原子（ｘは、少なくとも約２の値を有する）を含有する有機化合物の残基であり、ｎは、ポリオキシプロピレン疎水性塩基の分子量が少なくとも約９００であるような値であり、ｍは、分子のオキシエチレン含量が約１０重量％〜約９０重量％であるような値である、１９５４年４月６日にＬｕｎｄｓｔｅｄらに対して発行された米国特許第２，６７４，６１９号に記載される共役ポリオキシアルキレン化合物。Ｙの定義の範囲内に含まれる化合物には、例えば、プロピレングリコール、グリセリン、ペンタエリスリトール、トリメチロールプロパン、エチレンジアミン等が含まれる。オキシプロピレン鎖は、任意選択で、但し有利には、少量のエチレンオキシドを含有し、オキシエチレン鎖もまた、任意選択で、但し有利には、少量のプロピレンオキシドを含有する。
【００６１】
追加の共役ポリオキシアルキレン表面活性剤は、式Ｐ［（Ｃ３Ｈ６Ｏ）ｎ（Ｃ２Ｈ４Ｏ）ｍＨ］ｘに対応し、式中、Ｐは、約８〜１８個の炭素原子を有し、ｘ個（ｘは１または２の値を有する）の反応性水素原子を含有する有機化合物の残基であり、ｎは、ポリオキシエチレン部分の分子量が、少なくとも約４４になるような値であり、ｍは、分子のオキシプロピレン含有量が約１０％〜約９０重量％になるような値である。いずれの場合においても、オキシプロピレン鎖は、任意選択で、少量のエチレンオキシドを含有してもよく、オキシエチレン鎖もまた、任意選択で、少量のプロピレンオキシドを含有してもよい。
【００６２】
延長された界面活性剤としてときに説明される他の共役ポリオキシアルキレン表面活性剤は、式Ｐ（Ｃ３Ｈ６Ｏ）ｎ（Ｃ２Ｈ４Ｏ）ｍＨに対応し、式中、Ｐは、約８〜１８個の炭素原子を有し、ｘ個の反応性水素原子（ｘは１または２の値を有する）を含有する有機化合物の残基であり、ｎは、１〜２０の値を有し、ｍは、１〜２０の値を有する。例としては、ＢＡＳＦからのＬＵＴＥＮＳＯＬ  ＸＬシリーズがある。
【００６３】
本組成物における使用に好適なポリヒドロキシ脂肪酸アミド界面活性剤には、構造式Ｒ２ＣＯＮＲ１Ｚを有するものが含まれ、式中、Ｒ１は、Ｈ、Ｃ１〜Ｃ４ヒドロカルビル、２−ヒドロキシエチル、２−ヒドロキシプロピル、エトキシ、プロポキシ基、またはそれらの混合であり、Ｒ２は、直鎖であり得るＣ５〜Ｃ３１ヒドロカルビルであり、Ｚは、少なくとも３つのヒドロキシルが鎖に直接接続されたヒドロカルビル直鎖を有するポリヒドロキシヒドロカルビル、またはそのアルコキシル化誘導体（好ましくはエトキシル化もしくはプロポキシル化）である。Ｚは、還元アミン化反応において還元糖から得られてもよく、例えばグリシチル部分である。
【００６４】
脂肪族アルコールの約０〜約２５モルのエチレンオキシドとのアルキルエトキシレート縮合生成物。脂肪族アルコールのアルキル鎖は、直鎖または分岐鎖であってもよく、一級または二級であってもよく、また一般に６〜２２個の炭素原子を含有する。
【００６５】
エトキシル化Ｃ６〜Ｃ１８脂肪アルコール及びＣ６〜Ｃ１８混合エトキシル化及びプロポキル化脂肪アルコール。好適なエトキシル化脂肪アルコールは、３〜５０のエトキシル化度を有するＣ１０〜Ｃ１８エトキシル化脂肪アルコールを含む。
【００６６】
非イオン性アルキル多糖界面活性剤には、１９８６年１月２１日に発行されたＬｌｅｎａｄｏ、米国特許第４，５６５，６４７号に開示されるものが含まれる。これらの界面活性剤は、約６〜約３０個の炭素原子を含有する疎水基、及び約１．３〜約１０の糖単位を含有する多糖、例えばポリグリコシド親水基を含む。５または６個の炭素原子を含有する任意の還元糖が使用されてもよく、例えば、グルコース、ガラクトース及びガラクトシル部分がグルコシル部分と置換されてもよい。（任意選択で、疎水基が２−、３−、４−等の位置に結合し、グルコシドまたはガラクトシドとは対照的にグルコースまたはガラクトースを生成する。）糖間の結合は、例えば、追加的な糖単位の１つの位置と、その前の糖単位上の２−、３−、４−、及び／または６−位との間であってもよい。同様の官能性は、Ｃｌａｒｉａｎｔから入手可能なＧＬＵＣＯＰＵＲＥ製品などの、グルカミド界面活性剤によって達成することができる。
【００６７】
脂肪酸アミド界面活性剤には、式Ｒ６ＣＯＮ（Ｒ７）２を有するものが含まれ、式中、Ｒ６は、７〜２１個の炭素原子を含有するアルキル基であり、各Ｒ７は、独立して、水素、Ｃ１〜Ｃ４アルキル、Ｃ１〜Ｃ４ヒドロキシアルキル、または−（Ｃ２Ｈ４Ｏ）ＸＨ（式中、ｘは１〜３である）である。
【００６８】
非イオン性界面活性剤の別のクラスには、アルコキシル化アミン、または、最も特定すると、アルコールアルコキシル化／アミノ化／アルコキシル化界面活性剤として定義されるクラスが含まれる。これらの非イオン性界面活性剤は、少なくとも部分的に、一般式Ｒ２０−−（ＰＯ）ＳＮ−−（ＥＯ）ｔＨ、Ｒ２０−−（ＰＯ）ＳＮ−−（ＥＯ）ｔＨ（ＥＯ）ｔＨ、及びＲ２０−−Ｎ（ＥＯ）ｔＨにより表され得、式中、Ｒ２０は、アルキル、アルケニルもしくは他の脂肪族基、または８〜２０個、好ましくは１２〜１４個の炭素原子のアルキル−アリール基であり、ＥＯは、オキシエチレンであり、ＰＯは、オキシプロピレンであり、ｓは、１〜２０、好ましくは２〜５であり、ｔは、１〜１０、好ましくは２〜５であり、ｕは、１〜１０、好ましくは２〜５である。
【００６９】
これらの化合物の範囲に対する他の変形形態が、代替式Ｒ２０−−（ＰＯ）ｖ−−Ｎ［（ＥＯ）ｗＨ］［（ＥＯ）ｚＨ］によって表され得、式中、Ｒ２０は、アルキル、アルケニルもしくは他の脂肪族基であるか、または８〜２０、好ましくは１２〜１４個の炭素原子のアルキル−アリール基であり、ｖは、１〜２０（例えば、１、２、３、または４（好ましくは２））であり、ｗ及びｚは、独立して、１〜１０、好ましくは２〜５である。これらの化合物は、商業的には、非イオン性界面活性剤としてＨｕｎｔｓｍａｎ  Ｃｈｅｍｉｃａｌｓにより販売されている製品ラインにより代表される。このクラスの１つの例となる化学薬品には、ＳＵＲＦＯＮＩＣ（商標）ＰＥＡ２５アミンアルコキシレートが含まれる。
【００７０】
本組成物は、半極性非イオン性界面活性剤をさらに含んでもよい。半極性非イオン性界面活性剤の例としては、下記が挙げられる。
【００７１】
アミンオキシドは、一般式、
【化３】
2019505610.tif 000004
に対応する三級アミンオキシドであり、式中、矢印は、半極性結合の従来的表現であり、Ｒ１、Ｒ２、及びＲ３は、脂肪族、芳香族、複素環式、脂環式、またはそれらの組み合わせであってもよい。一般に、洗浄剤関連のアミンオキシドの場合、Ｒ１は、約８〜約２４個の炭素原子のアルキルラジカルであり、Ｒ２及びＲ３は、１〜３個の炭素原子のアルキルもしくはヒドロキシアルキルまたはそれらの混合であり、Ｒ２及びＲ３は、例えば酸素または窒素原子を介して互いに結合して、環構造を形成することができ、Ｒ４は、アルカリ、または２〜３個の炭素原子を含有するヒドロキシアルキレン基であり、ｎは、０〜約２０の範囲である。
【００７２】
有用な水溶性アミンオキシド界面活性剤は、ココナッツまたは牛脂アルキルジ−（低級アルキル）アミンオキシドから選択され得、それらの特定の例は、ドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチルアミンオキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコシキ−１−ヒドロキシプロピルアミンオキシド、ジメチル−（２−ヒドロキシドデシル）アミンオキシド、３，６，９−トリオクタデシルジメチルアミンオキシド及び３−ドデコシキ−２−ヒドロキシプロピルジ−（２−ヒドロキシエチル）アミンオキシドである。
【００７３】
半極性非イオン性界面活性剤にはまた、以下の構造を有する水溶性ホスフィンオキシドが含まれる。
【化４】
2019505610.tif 000005
式中、矢印は、半極性結合の従来的表現であり、Ｒ１は、１０〜約２４個の炭素原子の範囲のアルキル、アルケニルまたはヒドロキシアルキル部分であり、Ｒ２及びＲ３は、それぞれ、１〜３個の炭素原子を含有するアルキルまたはヒドロキシアルキル基から別個に選択されるアルキル部分である。有用なホスフィンオキシドの例としては、ジメチルデシルホスフィンオキシド、ジメチルテトラデシルホスフィンオキシド、メチルエチルテトラデシル−ホスフィンオキシド、ジメチルヘキサデシルホスフィンオキシド、ジエチル−２−ヒドロキシオクチルデシルホスフィンオキシド、ビス（２−ヒドロキシエチル）ドデシルホスフィンオキシド、及びビス（ヒドロキシメチル）テトラデシルホスフィンオキシドが挙げられる。
【００７４】
半極性非イオン性界面活性剤にまた、下記の構造を有する水溶性スルホキシド化合物が含まれる。
【化５】
2019505610.tif 000006
式中、矢印は、半極性結合の従来的表現であり、Ｒ１は、約８〜約２８個の炭素原子、０〜約５個のエーテル連結部、及び０〜約２個のヒドロキシル置換基のアルキルまたはヒドロキシアルキル部分であり、Ｒ２は、１から３個の炭素原子を有するアルキル及びヒドロキシアルキル基からなるアルキル部分である。これらのスルホキシドの有用な例としては、ドデシルメチルスルホキシド、３−ヒドロキシトリデシルメチルスルホキシド、３−メトキシトリデシルメチルスルホキシド、及び３−ヒドロキシ−４−ドデコキシブチルメチルスルホキシドが挙げられる。
【００７５】
一部の実施形態において、１つ以上の非イオン性界面活性剤が、掻き傷隠蔽組成物に含まれてもよい。非イオン性界面活性剤パッケージを使用して、開示される組成物を調製してもよい。
【００７６】
アニオン性界面活性剤．例となるアニオン性界面活性剤としては、カルボン酸及びそれらの塩、例えば、アルカン酸及びアルカン酸塩、エステルカルボン酸（例えば、アルキルスクシナート）、エーテルカルボン酸等；リン酸エステル及びそれらの塩；スルホン酸及びそれらの塩、例えば、イセチオン酸塩、アルキルアリールスルホン酸塩、アルキルスルホン酸塩、スルホコハク酸塩；ならびに硫酸エステル及びそれらの塩、例えば、アルキルエーテル硫酸塩、アルキル硫酸塩等が挙げられる。
【００７７】
アニオン性界面活性剤には、親水性基上に負電荷を持つもの、または、ｐＨが中性以上に上昇されない限り分子が電荷を担持しない界面活性剤（例えばカルボン酸）が含まれる。カルボキシラート、スルホナート、サルフェート及びホスフェートは、アニオン性界面活性剤中に見出される極性（親水性）可溶化基である。これらの極性基と会合するカチオン（対イオン）のうち、ナトリウム、リチウム及びカリウムは、水への溶解度を付与し、アンモニウム及び置換アンモニウムイオンは、水及び油の両方への溶解度を提供し、カルシウム、バリウム、及びマグネシウムは、油への溶解度を促進する。特定の配合物の必要性に応じて特定の塩が好適に選択される。
【００７８】
大規模な商業用のアニオン性界面活性剤の大部分は、当業者に既知であり、「Ｓｕｒｆａｃｔａｎｔ  Ｅｎｃｙｃｌｏｐｅｄｉａ」、Ｃｏｓｍｅｔｉｃｓ  ＆  Ｔｏｉｌｅｔｒｉｅｓ，Ｖｏｌ．１０４（２）７１〜８６（１９８９）に記載されている、５つの主要な化学的クラス及びさらなる下位群に細分され得る。第１のクラスは、アシルアミノ酸（及び塩）、例えば、アシルグルアメート（ａｃｙｌｇｌｕａｍａｔｅｓ）、アシルペプチド、サルコシネート（例えば、Ｎ−アシルサルコシネート）、タウレート（例えば、Ｎ−アシルタウレート、及びメチルタウリド（ｍｅｔｈｙｌ  ｔａｕｒｉｄｅ）の脂肪酸アミド）等を含む。第２のクラスは、カルボン酸（及び塩）、例えば、アルカン酸（及びアルカノエート）、エステルカルボン酸（例えば、コハク酸アルキル）、エーテルカルボン酸等を含む。第３のクラスは、リン酸エステル及びそれらの塩を含む。第４のクラスは、スルホン酸（及び塩）、例えば、イセチオナート（例えば、アシルイセチオナート）、アルキルアリールスルホナート、アルキルスルホナート、スルホスクシナート（例えば、スルホスクシナートのモノエステル及びジエステル）等を含む。第５のクラスは、硫酸エステル（及び塩）、例えば、硫酸アルキルエーテル、硫酸アルキル等を含む。
【００７９】
例となるアニオン性界面活性剤には、以下のものが含まれる。
【００８０】
直鎖及び分岐鎖の第一級及び第二級アルキルサルフェート、アルキルエトキシサルフェート、脂肪オレイルグリセロールサルフェート、アルキルフェノールエチレンオキシドエーテルサルフェート、Ｃ５〜Ｃ１７アシル−Ｎ−−（Ｃ１〜Ｃ４アルキル）及び−Ｎ−（Ｃ１〜Ｃ２ヒドロキシアルキル）グルカミンサルフェート、ならびにアルキル多糖のサルフェート、例えば、アルキルポリグルコシドのサルフェート（本明細書に記載されている非イオン性非硫酸化化合物）。
【００８１】
アンモニウム及び置換アンモニウム（モノ−、ジ−及びトリエタノールアミンなど）、ならびに、アルキル基において直鎖または分岐鎖で５〜１８個の炭素原子を含有するアルキルベンゼンスルホナートなどのアルキル単環式芳香族スルホナートのアルカリ金属（ナトリウム、リチウム及びカリウムなど）塩、例えば、アルキルベンゼンスルホナートの塩またはアルキルトルエン、キシレン、クメン及びフェノールスルホナートの塩；アルキルナフタレンスルホナート、ジアミルナフタレンスルホナート、及びジノイルナフタレンスルホナート及びアルコキシル化誘導体。
【００８２】
アルキルエトキシカルボキシラートなどのアニオン性カルボキシラート界面活性剤、アルキルポリエトキシポリカルボキシラート界面活性剤及びセッケン（例えば、アルキルカルボキシラート）。第二級セッケン界面活性剤（例えば、アルキルカルボキシル界面活性剤）には、第二級炭素に接続したカルボキシル単位を含有するものが含まれる。第二級炭素は、例えば、ｐ−オクチル安息香酸におけるように、またはアルキル置換シクロヘキシルカルボキシラートにおけるように、環構造にあってもよい。第二級セッケン界面活性剤は、典型的には、エーテル結合、エステル結合、及びヒドロキシル基を含有しない。さらに、それらは典型的には、頭部基（両親媒性部分）内に窒素原子を欠く。好適な第二級セッケン界面活性剤は、典型的には１１〜１３個の全炭素原子を含有するが、より多くの炭素原子（例えば、最大１６個）が存在してもよい。
【００８３】
他のアニオン性界面活性剤には、オレフィンスルホナート、例えば、長鎖アルケンスルホナート、長鎖ヒドロキシアルカンスルホナートまたはアルケンスルホナート及びヒドロキシアルカン−スルホナートの混合物が含まれる。また、アルキルサルフェート、アルキルポリ（エチレンオキシ）エーテルサルフェート、及び芳香族ポリ（エチレンオキシ）サルフェート、例えば、エチレンオキシド及びノニルフェノール（通常１分子当たり１〜６個のオキシエチレン基を有する）のサルフェートまたは濃縮生成物も挙げられる。ロジン、水素化ロジン、ならびに牛脂油中に存在するまたはそれから誘導される樹脂酸及び水素化樹脂酸などの、樹脂酸及び水素化樹脂酸もまた好適である。
【００８４】
カチオン性界面活性剤．例となるカチオン性界面活性剤には、アミン、例えば、アルキルアミン及びアミドアミンが含まれる。本組成物は、アミノ基、または他のカチオン性界面活性剤のいずれかから選択されるカチオン性界面活性剤を含んでもよい。アミン基には、例えば、アルキルアミン及びそれらの塩、アルキルイミダゾリン、エトキシル化アミン、ならびに第四級アンモニウム化合物及びそれらの塩が含まれる。他のカチオン性界面活性剤には、アミン化合物に類似した硫黄（スルホニウム）及びリン（ホスホニウム）系化合物が含まれる。
【００８５】
カチオン性界面活性剤は、一般に、少なくとも１つの長炭素鎖疎水性基と少なくとも１つの正荷電窒素とを含有する化合物を指す。長炭素鎖基は、単純な置換によって窒素原子に直接結合されてもよく、または、所謂中断アルキルアミン及びアミドアミン内の架橋官能基（複数可）によって間接的に結合されてもよい。かかる官能基は、分子を、より親水性もしくはより水分散性にする、共界面活性剤混合物によって水により溶解され易くする、または水溶性にすることができる。水への溶解度を増大させるために、追加的な一級、二級、もしくは三級アミノ基が導入され得るか、またはアミノ窒素が、低分子量アルキル基を用いて四級化され得る。さらに、窒素は、多様な不飽和度の分岐鎖もしくは直鎖部分の、または飽和もしくは不飽和の複素環式環の一部であり得る。それに加えて、カチオン性界面活性剤は、１個よりも多くのカチオン性窒素原子を有する複雑な結合を含有し得る。
【００８６】
アミンオキシド、両性、及び両性イオンとして分類される界面活性剤化合物は、それ自体は、典型的には中性近くから酸性ｐＨの溶液中でカチオン性であり、界面活性剤の分類と重複する。ポリオキシエチル化カチオン性界面活性剤は、概して、アルカリ性溶液中で非イオン性界面活性剤のように、及び酸性溶液中でカチオン性界面活性剤のように挙動する。
【００８７】
最も単純なカチオン性アミンであるアミン塩及び四級アンモニウム化合物は、下記のように概略的に描かれ得る。
【化６】
2019505610.tif 000007
式中、Ｒは、長アルキル鎖を表し、Ｒ’、Ｒ’’、及びＲ’’’は、長アルキル鎖またはより小さいアルキルもしくはアリール基または水素のいずれかであってもよく、Ｘは、アニオンを表す。
【００８８】
大規模な商業用のカチオン性界面活性剤の大部分は、当業者に既知であり、「Ｓｕｒｆａｃｔａｎｔ  Ｅｎｃｙｃｌｏｐｅｄｉａ，」Ｃｏｓｍｅｔｉｃｓ  ＆  Ｔｏｉｌｅｔｒｉｅｓ，Ｖｏｌ．１０４（２）８６−９６（１９８９）に記載されている、４つの主要なクラス及びさらなる下位群に細分され得る。第１のクラスは、アルキルアミン及びそれらの塩を含む。第２のクラスは、アルキルイミダゾリンを含む。第３のクラスは、エトキシル化アミンを含む。第４のクラスは、例えば、アルキルベンジルジメチルアンモニウム塩、アルキルベンゼン塩、複素環アンモニウム塩、テトラアルキルアンモニウム塩などの四級物（ｑｕａｔｅｒｎａｒｙ）を含む。カチオン性界面活性剤は、中性ｐＨ以下の組成物における洗浄力、抗微生物性有効性、他の薬剤と連携した増粘またはゲル化等を含む多様な特性を有することが知られている。
【００８９】
例となるカチオン性界面活性剤には、式Ｒ１ｍＲ２ｘＹＬＺを有するものが含まれ、式中、各Ｒ１は、最大３個のフェニルまたはヒドロキシ基で任意選択的に置換され、以下の構造のうちの最大４つ、
【化７】
2019505610.tif 000008
またはこれらの構造の異性体もしくは混合物によって任意選択的に中断された、直鎖または分岐のアルキルまたはアルケニル基を含有する有機基であり、それは、約８〜２２個の炭素原子を含有する。Ｒ１基は、追加的に最大１２個のエトキシ基を含有し得、ｍは、１〜３の数である。好ましくは、分子中の１個以下のＲ１基が、ｍが２であるときに１６個以上の炭素原子を有するか、またはｍが３であるときに１２個超の炭素原子を有する。各Ｒ２は、１〜４個の炭素原子またはベンジル基を含有するアルキルまたはヒドロキシアルキル基であり、このうち分子中の１個以下のＲ２が、ベンジルであり、ｘは、０〜１１、好ましくは０〜６の数である。Ｙ基上の任意の炭素原子位置の残りは、水素によって充填される。
【００９０】
Ｙは、以下のもののうちの１つなどの基、
【化８】
2019505610.tif 000009
またはそれらの混合物であり得る。好ましくは、Ｌは、１または２であり、かつＹ基は、Ｌが２であるとき、１〜２２個の炭素原子と２個の遊離炭素単結合とを有するＲ１及びＲ２類似体（好ましくはアルキレンまたはアルケニレン）から選択される部分によって分離されている。Ｚは、硫酸アニオン、メチル硫酸アニオン、水酸化物アニオン、または硝酸アニオンなどの水溶性アニオンであり、特に、カチオン性構成成分の電気的中性を付与する数の硫酸アニオンまたはメチル硫酸アニオンが好ましい。
【００９１】
両性（ａｍｐｈｏｔｅｒｉｃ）及び双性（ｚｗｉｔｔｅｒｉｏｎｉｃ）界面活性剤．両性及び双性界面活性剤としては、第二級及び第三級アミンの誘導体、複素環式第二級及び第三級アミンの誘導体、または第四級アンモニウムの誘導体、第四級ホスホニウムもしくは第三級スルホニウム化合物が挙げられる。アンモニウム、ホスホニウム、またはスルホニウム化合物は、脂肪族置換基、例えば、アルキル、アルケニル、もしくはヒドロキシアルキル；アルキレンまたはヒドロキシアルキレン；またはカルボン酸塩、スルホン酸塩、硫酸塩、ホスホン酸塩、もしくはリン酸塩基で置換され得る。ベタイン及びスルタイン（ｓｕｌｔａｉｎｅ）界面活性剤が、本組成物中で使用するための例となる双性イオン性界面活性剤である。
【００９２】
双性イオン性界面活性剤は、両性界面活性剤のサブセットと考えることができる。双性イオン性界面活性剤は、第二級及び第三級アミンの誘導体、複素環式の第二級及び第三級アミンの誘導体、または第四級アンモニウム、第四級ホスホニウム、もしくは第三級スルホニウム化合物の誘導体と広く説明され得る。典型的に、双性イオン性界面活性剤には、正の電荷を帯びた第四級アンモニウム、または、いくつかの事例では、スルホニウムもしくはホスホニウムイオン、負の電荷を帯びたカルボキシル基、及びアルキル基が含まれる。双性イオンは、一般に、分子の等電領域でほぼ等しい度合いまでイオン化し、正電荷−負電荷中心の間に強い「分子内塩」引力を発生し得るカチオン及びアニオン基を含有する。そのような双性イオン性の合成界面活性剤の例としては、脂肪族ラジカルが直鎖であっても分岐鎖であってもよく、脂肪族置換基のうちの１つが８〜１８個の炭素原子を含有し、１つがアニオン性水溶化基、例えば、カルボキシ、スルホナート、サルフェート、ホスフェート、またはホスホネートを含有する、脂肪族第四級アンモニウム、ホスホニウム、及びスルホニウム化合物の誘導体が挙げられる。ベタイン及びスルタイン界面活性剤が、例となる双性イオン界面活性剤である。
【００９３】
これらの化合物の一般式は、
【化９】
2019505610.tif 000010
であり、式中、Ｒ１は、０〜１０個のエチレンオキシド部分及び０〜１個のグリセリル部分を有する８〜１８個の炭素原子のアルキル、アルケニル、またはヒドロキシアルキルラジカルを含有し、Ｙは、窒素、リン、及び硫黄原子からなる群から選択され、Ｒ２は、１〜３個の炭素原子を含有するアルキルまたはモノヒドロキシアルキル基であり、ｘは、Ｙが硫黄原子であるとき１であり、Ｙが窒素またはリン原子であるとき２であり、Ｒ３は、１〜４個の炭素原子のアルキレンまたはヒドロキシアルキレンまたはヒドロキシアルキレンであり、Ｚは、カルボキシラート、スルホナート、サルフェート、ホスホネート、及びホスフェート基からなる群から選択されるラジカルである。
【００９４】
上記に列挙される構造を有する双性界面活性剤の例としては、４−［Ｎ，Ｎ−ジ（２−ヒドロキシエチル）−Ｎ−オクタデシルアンモニオ］−ブタン−１−カルボキシラート、５−［Ｓ−３−ヒドロキシプロピル−Ｓ−ヘキサデシルスルホニオ］−３−ヒドロキシペンタン−１−サルフェート、３−［Ｐ，Ｐ−ジエチル−Ｐ−３，６，９−トリオキサテトラコサンホスホニオ］−２−ヒドロキシプロパン−１−ホスフェート、３−［Ｎ，Ｎ−ジプロピル−Ｎ−３−ドデコシキ−２−ヒドロキシプロピル−アンモニオ］−プロパン−１−ホスホナート、３−（Ｎ，Ｎ−ジメチル−Ｎ−ヘキサデシルアンモニオ）−プロパン−１−スルホナート、３−（Ｎ，Ｎ−ジメチル−Ｎ−ヘキサデシルアンモニオ）−２−ヒドロキシ−プロパン−１−スルホナート、４−［Ｎ，Ｎ−ジ（２（２−ヒドロキシエチル）−Ｎ（２−ヒドロキシドデシル）アンモニオ］−ブタン−１−カルボキシラート、３−［Ｓ−エチル−Ｓ−（３−ドデコシキ−２−ヒドロキシプロピル）スルホニオ］−プロパン−１−ホスフェート、３−［Ｐ，Ｐ−ジメチル−Ｐ−ドデシルホスホニオ］−プロパン−１−ホスホナート、及びＳ［Ｎ，Ｎ−ジ（３−ヒドロキシプロピル）−Ｎ−ヘキサデシルアンモニオ］−２−ヒドロキシ−ペンタン−１−サルフェートが挙げられる。アルキル基は、直鎖または分岐鎖、飽和または不飽和であり得る。
【００９５】
双性界面活性剤には、下記の一般構造のベタイン及びスルタインが含まれる。
【化１０】
2019505610.tif 000011
【００９６】
例えば、コカミドプロピルベタインは、以下の構造を有する。
【化１１】
2019505610.tif 000012
【００９７】
そしてコカミドプロピルスルタインは、以下の構造を有する。
【化１２】
2019505610.tif 000013
【００９８】
これらの界面活性剤ベタインは、典型的に、極度のｐＨで強いカチオン性またはアニオン性特徴を呈すことも、またはそれらの等電範囲で水溶性の低減を示すこともない。「外部」第四級アンモニウム塩とは異なり、ベタインは、アニオンと共生できる。好適なベタインの例としては、ココナツアシルアミドプロピルジメチルベタイン、ヘキサデシルジメチルベタイン、Ｃ１２−１４アシルアミドプロピルベタイン、Ｃ８−１４アシルアミドヘキシルジエチルベタイン、４−Ｃ１４−１６アシルメチルアミド−ジエチルアンモニオ−１−カルボキシブタン、Ｃ１６−１８アシルアミドジメチルベタイン、Ｃ１２−１６アシルアミドペンタンジエチルベタイン、及びＣ１２−１６アシルメチルアミドジメチルベタインが挙げられる。
【００９９】
スルタインには、式（Ｒ（Ｒ１）２Ｎ＋Ｒ２ＳＯ３−を有する化合物が含まれ、式中、Ｒは、Ｃ６〜Ｃ１８ヒドロカルビル基であり、各Ｒ１は典型的に独立して、Ｃ１〜Ｃ３アルキル、例えばメチルであり、Ｒ２は、Ｃ１〜Ｃ６ヒドロカルビル基、例えば、Ｃ１〜Ｃ３アルキレンまたはヒドロキシアルキレン基である。
【０１００】
両性界面活性剤．両性（Ａｍｐｈｏｔｅｒｉｃ）または両性（ａｍｐｈｏｌｙｔｉｃ）界面活性剤は、塩基性親水性基及び酸性親水性基の両方、ならびに有機疎水性基を含有する。これらのイオン性成分は、他の種類の界面活性剤に関して本明細書に記載されるアニオン基またはカチオン基のうちのいずれであってもよい。塩基性窒素及び酸性カルボキシラート基は、塩基性親水性基及び酸性親水性基として用いられる典型的な官能基である。少数の界面活性剤において、スルホナート、サルフェート、ホスホナート、またはホスフェートは、負電荷をもたらす。
【０１０１】
両性界面活性剤は、広義には、脂肪族ラジカルが、直鎖であっても分岐状であってもよく、脂肪族置換基のうちの１つが８〜１８個の炭素原子を含有し、１つが、アニオン性水溶化基、例えば、カルボキシ、スルホ、スルファト、ホスファト、またはホスホノを含有する、脂肪族の第二級アミン及び第三級アミンの誘導体であると説明することができる。両性界面活性剤は、当業者に既知であり、「Ｓｕｒｆａｃｔａｎｔ  Ｅｎｃｙｃｌｏｐｅｄｉａ，」Ｃｏｓｍｅｔｉｃｓ  ＆  Ｔｏｉｌｅｔｒｉｅｓ，Ｖｏｌ．１０４（２）６９−７１（１９８９）に記載されている、２つの主なクラスに細分される。第１のクラスには、アシル／ジアルキルエチレンジアミン誘導体（例えば２−アルキルヒドロキシエチルイミダゾリン誘導体）及びそれらの塩が含まれる。第２のクラスには、Ｎ−アルキルアミノ酸及びそれらの塩が含まれる。一部の両性界面活性剤は、両方のクラスに当てはまることが想定され得る。
【０１０２】
両性界面活性剤は、当業者に既知の方法で合成され得る。例えば、２−アルキルヒドロキシエチルイミダゾリンは、長鎖カルボン酸（または誘導体）と、ジアルキルエチレンジアミンとの縮合及び閉環によって合成される。商業用の両性界面活性剤は、例えば、酢酸エチルでのアルキル化による、イミダゾリン環の後続の加水分解及び開環によって誘導体化される。アルキル化の間に、１個または２個のカルボキシ−アルキル基が反応して、第三級アミン及びエーテル結合を形成し、異なるアルキル化剤が、異なる第三級アミンを生じる。
【０１０３】
例となる市販のイミダゾリン由来両性物質には、ココアンホプロピオナート、ココアンホカルボキシ−プロピオナート、ココアンホグリシナート、ココアンホカルボキシ−グリシナート、ココアンホプロピル−スルホナート、及びココアンホカルボキシ−プロピオン酸が含まれる。好ましいアンホカルボン酸は、アンホジカルボン酸のジカルボン酸官能基がジ酢酸及び／またはジプロピオン酸である脂肪イミダゾリンから生成される。本明細書に記載されるカルボキシメチル化化合物（グリシナート）は、しばしばベタインと呼ばれる。
【０１０４】
長鎖Ｎ−アルキルアミノ酸は、ＲＮＨ２（式中、Ｒは、Ｃ８〜Ｃ１８長鎖または分岐鎖アルキルである）脂肪アミンをハロゲン化カルボン酸と反応させることにより容易に調製される。アミノ酸の第一級アミノ基のアルキル化は、第二級アミン及び第三級アミンをもたらす。アルキル置換基は、２つ以上の反応性窒素中心をもたらす追加のアミノ基を有してもよい。最も商業的なＮ−アルキルアミン酸は、ベータ−アラニンまたはベータ−Ｎ（２−カルボキシエチル）アラニンのアルキル誘導体である。商業用Ｎ−アルキルアミノ酸両性電解質の例としては、アルキルベータ−アミノジプロピオナート、ＲＮ（Ｃ２Ｈ４ＣＯＯＭ）２、及びＲＮＨＣ２Ｈ４ＣＯＯＭが挙げられる。これらの式中、Ｒは、好ましくは、８〜１８個の炭素原子を含有する非環式疎水性基であり、Ｍは、アニオンの電荷を中和するためのカチオンである。
【０１０５】
好ましい両性界面活性剤には、ココナツ油またはココナツ脂肪酸等のココナツ生成物由来のものが含まれる。これらのココナツ由来界面活性剤のうち、より好ましいものには、その構造の一部として、エチレンジアミン部分、アルカノールアミド部分、アミノ酸部分、好ましくはグリシン、またはそれらの組み合わせ、及び８〜１８個（好ましくは１２個）の炭素原子の脂肪族置換基が含まれる。かかる界面活性剤は、アルキルアンホジカルボン酸ともみなされ得る。ジナトリウムココアンホジプロピオナートは、１つの最も好ましい両性界面活性剤であり、商標名ＭＩＲＡＮＯＬ（商標）ＦＢＳの下でＳｏｌｖａｙ  Ｓ．Ａ．から市販されている。化学名ジナトリウムココアンホジ酢酸を有する、別の最も好ましいココナツ由来両性界面活性剤は、商標名ＭＩＲＡＮＯＬ（商標）Ｃ２Ｍ−ＳＦ  Ｃｏｎｃ．の下で同じくＳｏｌｖａｙ  Ｓ．Ａ．から販売されている。
【０１０６】
界面活性剤濃縮物．界面活性剤の量は、無希釈の隠蔽組成物の総重量に基づいて、約０．０１重量％〜約７．０重量％、約０．０５重量％〜約５重量％、約０．１重量％〜約４．０重量％、約０．５重量％〜約３．５重量％、約１重量％〜約３重量％、または約１．５重量％〜約２．５重量％であり得る。
【０１０７】
使用されるとき、一実施形態において、隠蔽組成物は、水で希釈される。一部の実施形態において、界面活性剤は、希釈された隠蔽組成物の総重量に基づいて、約０．０００５重量％〜約６．６５重量％、約０．００２５重量％〜約４．７５重量％、約０．０７５重量％〜約３．５重量％、約０．１５重量％〜約２．８５重量％、約０．２５重量％〜約２．２５重量％、または約０．３５重量％〜約１．４２重量％で存在してもよい。
【０１０８】
一価不飽和脂肪酸
本組成物は、界面活性剤と区別できる少なくとも１つの一価不飽和脂肪酸を含む。好適な一価不飽和脂肪酸の例としては、ミリストレイン酸、パルミトレイン酸、サピエン酸、オレイン酸、エライジン酸、バクセン酸、リノレイン酸、リノレイジン酸（ｌｉｎｏｌａｉｄｉｃ  ａｃｉｄ）、アルファ−リノレイン酸、アラキドン酸、エイコサペンタエン酸、エルカ酸（ｅｕｒｃｉｃ  ａｃｉｄ）、及びドコサヘキサエン酸、ならびにそれらの組み合わせなどの一価不飽和脂肪酸が挙げられるが、これらに限定されない。好適な飽和脂肪酸の例としては、酪酸、カプリン酸、カプロン酸、カプリル酸（ｃａｐｒｉｌｉｃ  ａｃｉｄ）、カプリン酸、ラウリン酸、ミリスチン酸、パルミチン酸、及びステアリン酸、及びそれらの組み合わせが挙げられる。一実施形態において、脂肪酸は、本組成物に不快な臭気を付与しないように選択される。
【０１０９】
脂肪酸の量に関しては、一部の態様において、それは、無希釈の隠蔽組成物の総重量に基づいて、約０．５重量％〜約３５．０重量％、約１重量％〜約３０重量％、約１．５重量％〜約２５重量％、約２重量％〜約２０重量％、約２．５重量％〜約１５重量％、または約３重量％〜約１０重量％であり得る。
【０１１０】
使用されるとき、一実施形態において、隠蔽組成物は水で希釈される。一部の実施形態において、脂肪酸は、希釈された隠蔽組成物の総重量に基づいて、約０．００５重量％〜約３３．２５重量％、約０．０７５重量％〜約１９重量％、約０．１２５重量％〜約１２重量％、約０．５重量％〜約９．５重量％、約１重量％〜約８重量％、または約１．７５重量％〜約５重量％で存在してもよい。
【０１１１】
下記の表は、無希釈の組成物中の各成分についての例となる範囲を含む。
【表１】
2019505610.tif 000014
【０１１２】
下記の表は、希釈された組成物中の各成分についての例となる範囲を含む。
【表２】
2019505610.tif 000015
【０１１３】
任意選択的な材料
カルボン酸エステル、界面活性剤及び一価不飽和脂肪酸に加えて、開示される組成物は、他の任意選択的な材料を含むことができる。例となる材料としては、レオロジー改質剤、潤滑剤、抗菌剤、蛍光トレーサ及びそれらの組み合わせが含まれるが、これらに限定されない。
【０１１４】
レオロジー改質剤．本組成物は、任意選択的なレオロジー改質剤を含んでもよい。レオロジー改質剤は、組成物が容器にスプレーされるときに組成物の粘度を増大させ、組成物の粒径を増大させ、エマルションの安定性を改善する一助となり、容器の表面への組成物の垂直の粘着（ｃｌｉｎｇ）をもたらし得る。隠蔽組成物中で使用されるとき、レオロジー改質剤はまた、容器上にフィルムを形成する一助となり、組成物の撥水特性を改善することができる。レオロジー改質剤は、擬塑性の使用組成物を提供し得、つまり、撹乱せずに放置されるときは高粘度を保持し、せん断されるときには粘度が実質的にただし可逆的に低減し、せん断の後、高粘度が回復する。開示される適用において、組成物の粘度は、それが濃縮物であるかまたは水で希釈されるときには高くあり得、粘度は、組成物がスプレーノズルまたは他の分注デバイスを通してスプレーされるときに低下し得、粘度は、組成物が容器の表面上に載っているときに戻り得る。容器の表面上に載っている間、レオロジー改質剤は、組成物が重力の結果として滴る、流れる、垂れる、または容器の下方に移動することを防止し得る。例となるレオロジー改質剤には、天然または合成ポリマー、ガムまたは粘土が含まれる。具体的な例としては、カルボキシル化ビニルポリマー、例えば、ポリアクリル酸及びそれらのナトリウム塩、ポリアクリルアミド増粘剤、架橋ポリアクリレート、キサンタン組成物、アルギン酸ナトリウム及びアルギン生成物、ヒドロキシメチルセルロース、ヒドロキシエチルセルロース、ヒドロキシプロピルセルロース、天然樹脂、例えば、ロジン（Ｃｏｌｏｆｏｎｉａ）樹脂、松脂及びコパル樹脂、シェラック、油料種子、植物及び動物に由来する油、ならびにそれらの誘導体及び組み合わせが挙げられる。市販のセルロース製品には、ＭＥＴＨＯＣＥＬ及びＥＴＨＯＣＥＬ（例えば、Ｍｅｔｈｏｃｅｌ  ＭＸ、Ｍｅｔｈｏｃｅｌ  Ｅ１９、ＥＴＨ  ＳＴＤ  ４５、Ｅｔｈｏｃｅｌ  ＳＴＤ  １００）という名称の下でＤｏｗ  Ｃｈｅｍｉｃａｌ  Ｃｏｍｐａｎｙから販売されるもの、またはＫＬＵＣＥＬという名称の下でＡｓｈｌａｎｄから販売されるものが含まれる。レオロジー改質剤は、約０．２〜約１５重量％、約０．３〜約１０重量％、または約０．５〜約５重量％で存在し得る。
【０１１５】
潤滑剤．本組成物は、任意選択的に、（ボトル充填及び梱包段階を含む）処理中の容器の動きを改善するため、処理中にボトルが遭遇する任意の表面とのその摩擦を低減するため、ならびに追加の掻き傷及び擦り傷跡を低減するための、潤滑剤を含んでもよい。例となる潤滑剤には、Ｃｅｒａｓｐｅｒｓｅ  １７４、Ｃｅｒａｓｐｅｒｓｅ  ３２１  ＢＧＷ、及びＣｅｒａｓｐｅｒｓｅ  １７４などの合成ろう；ポリテトラフルオロエチレン（ＰＴＦＥ）；精製亜麻仁油中で調合されたＰＴＦＥ；Ｃｅｒａｓｐｅｒｓｅ  ３２１ＢＧなどのＰＴＦＥ及びろうの化合物；ＳＩＬＩＫＯＦＴＡＬ  ＮＯＮ−ＳＴＩＣＫ  ６０などのポリシロキサン；ＴＥＧＯ  Ｇｌｉｄｅ  ４３２及びＴＥＧＯ  Ｇｌｉｄｅ  １１５ポリシロキサンポリマー、コポリマー、及び誘導体；ならびにそれらの誘導体及び組み合わせが含まれるが、これらに限定されない。潤滑剤は、約０．５〜約２５重量％、約１〜約２０重量％、約２〜約１５重量％、または約３〜約１０重量％で本組成物中に存在し得る。
【０１１６】
抗菌剤．本組成物は、任意選択的に、組成物中の生物増殖を遅らせるまたは低減するための抗菌剤を含んでもよい。例となる抗菌剤には、フェノールハロ−及びニトロフェノール及び置換ビスフェノール、例えば、４−ヘキシルレゾルシノール、２−ベンジル−４−クロロフェノール及び２，４，４′−トリクロロ−２′−ヒドロキシビフェニルエーテル、有機及び無機酸、例えば、クエン酸及びアスコルビン酸ならびにそれらのエステル及び塩、例えば、ジヒドロ酢酸、ペルオキシカルボン酸、ペルオキシ酢酸、メチルｐ−ヒドロキシ安息香酸、カチオン性薬剤、例えば、芳香族または直鎖第四級アンモニウム化合物、アルデヒド、例えばグルタルアルデヒド、イソチアゾリン化合物、例えば、５−クロロ−２−メチル−４−イソチアゾリン−３−オン及び２−メチル−４−イソチアゾリン−３−オン、脂肪アミン化合物、例えば、オレイルジアミノプロパン、ココアルキルジアミノプロパン、及びラウリルジメチルアミン、ならびにヨウ素及び塩素化合物を含むハロゲンが含まれる。抗菌剤は、所望の抗菌剤特性を提供するのに十分な量で、または０〜約２０重量％、もしくは約０．５〜約１０重量％で本組成物中に存在し得る。
【０１１７】
トレーサ．本組成物は、任意選択的に、本組成物を追跡及び定量するための蛍光色素を含んでもよい。例となるトレーサには、Ｎａｌｃｏ  ＣｏｍｐａｎｙによってＴＲＡＳＡＲ（登録商標）または３Ｄ  ＴＲＡＳＡＲ（登録商標）という名称の下で販売されるものが含まれる。
【０１１８】
隠蔽組成物を作製する方法
隠蔽組成物は、カルボン酸エステル及び脂肪酸を組み合わせることによって調製される。界面活性剤が次いで、カルボン酸エステル及び脂肪酸の組み合わせに添加され、結果として生じる組み合わせは、完全に均一化されるまで撹拌される。別の実施形態においては、逆の方法を用いて組み合わせを調製する。つまり、界面活性剤及びカルボン酸エステルがまず組み合わされ、脂肪酸が次いで、界面活性剤及びカルボン酸エステルの組み合わせに添加される。結果として生じる組成物は、完全な均一化がもたらされるまで撹拌される。
【０１１９】
希釈
本組成物は、無希釈で、または希釈液で使用溶液へと希釈され得る濃縮物として、提供される。かかる希釈液は、水、アルコール、例えば、イソプロピルアルコールもしくはエタノール、グリセリン、モノエチレングリコール、及びモノプロピレングリコールまたはそれらの組み合わせであり得る。一部の実施形態において、希釈液として、鉱物油などのパラフィン油は使用されない。同様に、ある特定の実施形態において、本組成物は、鉱物油を実質的に含まないかまたは含まない。
【０１２０】
一実施形態において、本組成物は、容器の表面に、希釈せずにまたは無希釈で塗布される。他の実施形態において、本組成物は、それが容器の表面に塗布される前に水で希釈される。かかる希釈は、容器への塗布前に食品工場において行われてもよい。一実施形態において、無希釈の隠蔽組成物は、水で希釈される。かかる水は、水道水または脱イオン水もしくは蒸留水であってもよい。水道水は最も安価であり、最も入手しやすいため、本組成物は、水道水で希釈され得る。希釈水は、約０〜約３５０ｐｐｍのＣａＣＯ３を有し得る。希釈水の硬度が、約３５０ｐｐｍのＣａＣＯ３を上回って高い場合、水軟化機器を使用することが好都合であり得る。
【０１２１】
無希釈の隠蔽組成物の、水などの希釈液での希釈は、約５重量％〜約９８重量％の水、約２０重量％〜約９５重量％の水、約４０重量％〜約９３重量％の水、約５０重量％〜約９０重量％の水、及び約６０重量％〜約８８重量％の水である。希釈率は、約１：２〜約１：９０の隠蔽組成物対水である。
【０１２２】
隠蔽組成物を使用する方法
本組成物を容器の表面に塗布するために特別な機器は必要とされず、つまり、当該技術分野で既知のありとあらゆる機器が、本発明の調製、使用及び方法に好都合である。本組成物は、容器の充填前または充填後のいずれでも塗布されてよい。容器は、既知の方法に従って充填され、蓋がされる。一実施形態において、容器は、ガラスまたはＰＥＴであり、それらは低温の液体で充填される。低温の液体を含む充填容器は、容器の温度を低下させ、それによって、空気中の湿気が容器の表面上で凝縮する可能性をもたらす。一実施形態において、掻き傷隠蔽組成物は、容器が充填及び閉鎖された後に塗布される。別の実施形態において、掻き傷隠蔽組成物は、容器が充填される前に塗布される。
【０１２３】
実施例によって明らかとなるように、掻き傷隠蔽組成物の有効性は、容器、充填された液体、及び／または外部温度の間の温度の差、ならびに環境の相対湿度に起因してガラス容器の外面上に現れ得る凝縮によって、悪影響を受けることはない。
【０１２４】
ラベル添付は、掻き傷隠蔽組成物の塗布前にまたは塗布後に行われてもよい。掻き傷隠蔽組成物を塗布する工程は、新たに洗浄、充填及びラベル添付されたガラス容器が再度市場に出され、消費者に販売される前の最後の工程であり得る。
【０１２５】
塗布機器は、典型的に、混合及び保管槽、ポンプ、移送及び供給ライン、スプレー装置、ならびに制御及び監視機器を含み得る。一実施形態において、機器は、１つ以上の混合槽（複数可）；薬注及び循環ポンプ（複数可）；混合ユニット（ポンプ自体であり得る）；循環パイプ（複数可）；塗布手段、例えば、スポンジ、刷毛、噴霧、スプレーノズル等を含む。スプレーを介して塗布される場合、本組成物は、付勢ノズルまたは非付勢ノズルのいずれにより塗布されてもよい。浸漬、浸水、刷毛、ローラー、フローコーティング、及びカーテンコーティングを介するものを含む、隠蔽組成物を容器に塗布する他の方法または手段が想定される。
【０１２６】
一実施形態において、本組成物は、プラスチック管を介して弁に接続される容器中に保管される。別個の送水管もまた弁に接続される。水及び本組成物は、弁において合わさり、ステンレス鋼パイプ（例えば、静的ミキサー）の中へと流れ、そこでそれらは、流体がパイプを流動する結果として混合される。パイプ内での水との混合後、本組成物は、ノズルを介してボトルにスプレーされる。
【０１２７】
一実施形態において、容器は、コーティング液体が容器の外側に塗布される間に塗布手段に対して動かされる。一実施形態において、スプレー手段は、連続的に動作される。これは、ガラス容器が、ガラス容器の外側にコーティング液体を浴びせるために、スプレー手段が連続的に動作されるコーティングステーションにわたってコンベヤラインを用いて連続的に輸送されることを意味する。しかしながら、塗布手段が断続的に動作され、コーティング液体を工程別でのみ、またはガラス容器がコーティングステーションに存在することを認識したときのみに適用する、代替的手法が存在する。この代替的方法は、コーティング液体が、コーティングステーションに実際に存在するガラス容器のみに塗布されるため、かなりの量のコーティング液体を節約する。
【０１２８】
一実施形態において、本組成物は、エマルション、特に水中油エマルションである。しかしながら、液体の平衡溶液、好ましくは、液体の水性溶液もまた使用され得る。エマルション、特に水中油エマルションは、塗布するのに十分に安定にとどまるように平衡化される。上述したように、水が希釈液である。一実施形態においてコーティング液体は、少なくとも１つの供給ラインを介して塗布手段に供給される。ガラス容器の外側へのコーティング液体の均一な分配を可能にするために、コーティング液体用の共通の供給ラインがさらに有用である。コーティング組成物は、現場で、または別の場所で希釈されてよい。
【０１２９】
機器はまた、掻き傷隠蔽組成物の塗布を監視するためのコントローラを備え得る。コントローラは、例えば、最低量のコーティングが容器に塗布されるように、塗布手段の前にある容器の存在もしくは不在を検出する、ならびに／または擦り傷バンドもしくは掻き傷の存在及びその数量を検出するための光センサであり得る。ある態様によれば、コントローラは、ポンプ（複数可）及びアプリケータと相互作用し得るコンピュータを介して監視される。機器は、組成物の分配及び乾燥のための空気の使用をさらに含んでもよい。混合及び塗布機器の例は、ＷＯ２００５／０４９２１９に提示され、この文献は、参照により全目的で本明細書に組み込まれる。
【０１３０】
ある実施形態において、コーティング組成物及び希釈液は、別個に保管され、共通の供給ラインに供給される。無希釈のコーティング組成物及び希釈液は、共通の供給ラインの前にまたは共通の供給ライン内で混合することにより完全に混合され得る。一実施形態において、混合は、油／ガソリン混合ステーションのような他の適用で知られている、混合チャンバ、例えば、スワールチャンバ、混合タンク等といった、可動部を有しない混合手段により行われる。無希釈のコーティング組成物及び希釈液の混合物が、混合手段を流動しながらエマルションへと連続的に変換されるように、液体流内で、混合翼及び／または混合バッフルを備えた細長く延在する混合手段が使用されてもよい。
【０１３１】
静的混合手段が、この方法において有用であり、希釈されたコーティング組成物は、塗布するのに十分に安定にとどまる。
【０１３２】
本発明の組成物及び本発明の方法が用いられる容器の種類は、一般に、再利用可能または再生可能な容器である。かかる容器は一般にボトルであり、ＰＥＴまたはガラスのいずれかで構成される。本発明の方法が適用される、通常の種類の返却可能な容器は、ビール瓶のようなガラス瓶である。
【０１３３】
本発明は、以下の非限定的な実施例においてより詳細に例示される。
【実施例】
【０１３４】
表１に提供される配合を有する掻き傷隠蔽組成物を調製した。
【表３】
2019505610.tif 000016
【０１３５】
処方２Ｃは、それが水溶性エステルを含むため、比較処方である。処方６Ｃは、それが鉱物油を含むため、比較処方である。
【０１３６】
実施例１−塗布及び乾燥後の外観
掻き傷隠蔽組成物の望ましい特長は、消費者に対して容器の光学的外観を改善することである。容器に適用すべき隠蔽組成物の濃度範囲及び組成物の量を決定するために、容器の光学的外観を評価した。
【０１３７】
試験方法：擦り傷の付いたガラスの０．３３Ｌボトルを秤量し、次いで４℃に冷却した。表１に提供される配合物を５重量パーセントの水、７５重量パーセントの水、及び９０重量パーセントの水で希釈した。各濃縮物を、表面上に凝縮を有する低温のボトルに、非付勢スプレーノズルを使用してガラスボトルの表面に別個に塗布した。ボトルを次いで室温で自然乾燥させた。乾燥させた時点で、ボトルを外観について目視評価した。結果が表２に提供される。
【表４】
2019505610.tif 000017
【０１３８】
概して、１０〜８０ｍｇの溶液／ボトルを各ボトルに塗布した。結果は、すべてのボトルが本発明のエマルションでカバーされたことを示す。表３は、処方３を１０本のボトルに様々な希釈率で塗布した結果を示す。
【表５】
2019505610.tif 000018
【０１３９】
実施例２−塗布及び乾燥後の感触
ガラスボトルに塗布すると、隠蔽組成物の薄膜がボトル上に残る。理想的には、ボトル上に「指紋」は何ら視認できない。
【０１４０】
試験方法：実施例１で提供されたガラスの０．３３Ｌボトルを清浄化、冷却及び処理した。乾燥させ、ボトルを清潔な指で触れた。ボトル上の指紋の強度を、それらがいつ消失したかを確認することで評価した。指紋が長引いた場合は望ましくないとされた。ボトルの脂っぽさまたはべたつき感についても試験した。表４は、指紋接触試験の結果を提供し、表５は、感触試験の結果を提供する。
【表６】
2019505610.tif 000019
【表７】
2019505610.tif 000020
【０１４１】
実施例３−隠蔽配合物の持続性
一旦ガラスボトルに塗布すると、掻き傷隠蔽組成物は、ある特定の有効期間を有する。理想的には、隠蔽組成物は容器にとどまるべきであり、有効期間中に消失すべきでない。
【０１４２】
試験方法：実施例１で提供されたガラスの０．３３Ｌボトルを清浄化、冷却及び処理した。乾燥させ、ボトルを摂氏３０度の水浴に７２時間浸水した。コーティングがボトル上にとどまるかどうかを確認するために、ボトルを１２時間毎に検査した。結果が表６に提供される。
【表８】
2019505610.tif 000021
【０１４３】
実施例４−氷水への耐性
隠蔽組成物は、氷水に浸漬された場合であっても表面上にとどまるべきである。
【０１４４】
試験方法：実施例１で提供されたガラスの０．３３Ｌボトルを清浄化、冷却及び処理した。乾燥させ、ボトルを氷浴に７２時間浸水した。７２時間後、ボトルを取り出し、室温で風乾させ、次いで擦り傷跡の外観について目視点検した。結果が下記の表７に示される。
【表９】
2019505610.tif 000022
【０１４５】
実施例５−凝縮水に対する隠蔽配合物の持続性
処理済みボトルが冷蔵庫から取り出され、室温で保管される場合、ボトル表面に凝縮が生じる。やがて、凝縮水は乾燥する。かかる凝縮及び乾燥は、隠蔽剤の存在に対して実質的な影響を有するべきでない。凝縮及び乾燥が生じた後の配合物の持続性を試験するために、この実施例を実行した。
【０１４６】
試験方法：実施例１で提供されたガラスの０．３３Ｌボトルを清浄化、冷却及び処理した。乾燥させ、ボトルを摂氏５度の冷蔵庫中に７２時間置いた。ボトルを次いで冷蔵庫から取り出し、室温で保管して、ボトル上に凝縮水を発生させた。ボトルを次いで室温で保管して、凝縮を自然乾燥させた。コーティングが残っているかどうかを確認するためにボトルを目視評価し、結果が下記の表８に提供される。擦り傷跡が戻ったか否かによって、コーティングが表面上に残っているかどうかを決定することは容易であることに留意されたい。
【表１０】
2019505610.tif 000023
【０１４７】
試験結果は、配合物１、３、４、及び５に関して隠蔽剤が容器の表面上にとどまったことを示した。
【０１４８】
実施例６−潤滑剤との適合性
隠蔽組成物は、コンベヤ潤滑剤が使用される生産プロセス中に塗布されるため、規定量の隠蔽組成物がコンベヤ潤滑剤と混合されるのは避けられない。この目的で、本発明のコーティング組成物は、コンベヤまたは容器の潤滑に影響を及ぼすべきでない。同様に、コンベヤベルト上での潤滑剤、隠蔽組成物またはそれらの組み合わせの残留物の蓄積が生じるべきでない。
【０１４９】
試験方法：隠蔽組成物及びコンベヤ潤滑剤の使用（希釈済み）溶液を様々な割合で混合した。本組成物が分離するかどうかまたは沈殿が生じるかどうかを確認するために、使用溶液を観察した。本組成物を、実施例１に従って調製したガラスボトルに塗布した後、摩擦係数を測定した。結果が下記の表９に提供される。
【表１１】
2019505610.tif 000024
【０１５０】
結果は、処方１〜５が潤滑剤との適合性を有していたことを実証する。処方６を潤滑剤の存在下で使用したとき、摩擦係数は低いままであったが、黒い斑点が形成した。
【０１５１】
本発明は、上述の特定の実施例に限定されるとみなされるべきでなく、むしろ、添付の特許請求の範囲に顕著な程度に提示される本開示のすべての態様を網羅するように理解されるべきである。開示される本発明が適用可能であり得る種々の変更形態及び均等のプロセスが、本明細書を査読すれば当業者には容易に明らかとなろう。
【国際調査報告】
2019505610.tif 000025
2019505610.tif 000026